【手続補正書】
【提出日】平成25年10月7日(2013.10.7)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、画像処理装置および画像処理方法に関し、詳しくは、インクを吐出する複数のノズル間の吐出量のばらつきに起因した濃度むらを低減するための画像処理に関するものである。
【手続補正３】
【補正対象書類名】明細書
【補正対象項目名】０００６
【補正方法】変更
【補正の内容】
【０００６】
本発明は、複数種類のインクを用いて画像を記録する場合に、複数のノズル間の記録特性のばらつきに起因して生じる色ずれを低減することが可能な画像処理装置および画像処理方法を提供することを目的とする。
【手続補正４】
【補正対象書類名】明細書
【補正対象項目名】０００７
【補正方法】変更
【補正の内容】
【０００７】
そのために本発明では、記録媒体上に第１のインクを吐出する複数のノズルが所定方向に配列された第１のノズル列と、前記記録媒体上に第２のインクを吐出する複数のノズルが前記所定方向に配列された第２のノズル列と、を用いて前記記録媒体上に画像を記録するための画像処理装置であって、記録媒体上の複数の領域にそれぞれ対応し且つ前記第１のノズル列および前記第２のノズル列のそれぞれに配列されたそれぞれ所定数のノズルを含む複数のノズル群であって、少なくとも前記第１のインクおよび前記第２のインクによって再現される所定の色を示す色信号の入力に基づいて、前記複数のノズル群のそれぞれを用いて前記複数の領域に対して画像を記録させる第１の記録制御手段と、前記複数の領域のうちの１つに関する情報を取得する取得手段と、前記所定の色を示す色信号に対して色補正を行うことにより得られる、補正色を示す色信号の入力に基づいて、前記取得手段によって取得された前記情報に対応する領域に対して記録された画像と、前記色補正を伴わない前記所定の色を示す色信号の入力に基づいて、前記複数の領域のうち前記情報に対応する領域ではない領域に記録された画像と、を含む色補正画像を記録させる第２の記録制御手段と、を有し、前記第２の記録制御手段は、前記複数の領域のうち、前記情報に対応する領域の位置に基づいて決定された数の、互いに前記補正色が異なる複数の前記色補正画像を記録させることを特徴とする。
【手続補正５】
【補正対象書類名】特許請求の範囲
【補正対象項目名】全文
【補正方法】変更
【補正の内容】
【特許請求の範囲】
【請求項１】
記録媒体上に第１のインクを吐出する複数のノズルが所定方向に配列された第１のノズル列と、前記記録媒体上に第２のインクを吐出する複数のノズルが前記所定方向に配列された第２のノズル列と、を用いて前記記録媒体上に画像を記録するための画像処理装置であって、
記録媒体上の複数の領域にそれぞれ対応し且つ前記第１のノズル列および前記第２のノズル列のそれぞれに配列されたそれぞれ所定数のノズルを含む複数のノズル群であって、少なくとも前記第１のインクおよび前記第２のインクによって再現される所定の色を示す色信号の入力に基づいて、前記複数のノズル群のそれぞれを用いて前記複数の領域に対して画像を記録させる第１の記録制御手段と、
前記複数の領域のうちの１つに関する情報を取得する取得手段と、
前記所定の色を示す色信号に対して色補正を行うことにより得られる、補正色を示す色信号の入力に基づいて、前記取得手段によって取得された前記情報に対応する領域に対して記録された画像と、前記色補正を伴わない前記所定の色を示す色信号の入力に基づいて、前記複数の領域のうち前記情報に対応する領域ではない領域に記録された画像と、を含む色補正画像を記録させる第２の記録制御手段と、
を有し、
前記第２の記録制御手段は、前記複数の領域のうち、前記情報に対応する領域の位置に基づいて決定された数の、互いに前記補正色が異なる複数の前記色補正画像を記録させることを特徴とする画像処理装置。
【請求項２】
前記第２の記録制御手段は、前記情報に対応する領域に対応するノズル群の吐出特性に基づいて、前記色補正画像の数を決定することを特徴とする請求項１に記載の画像処理装置。
【請求項３】
前記所定方向における幅が互いに異なる複数種類の記録媒体に対して画像を記録可能であり、前記第２の記録制御手段は、前記情報に対応する領域が前記複数種類の記録媒体のうち第１の数で特定される記録媒体に対応する位置である場合、前記情報に対応する領域が前記複数種類の記録媒体のうち前記第１の数よりも少ない第２の数で特定される記録媒体に対応する位置である場合よりも、前記色補正画像の数を多くすることを特徴とする請求項１または２に記載の画像処理装置。
【請求項４】
前記第２の記録制御手段は、前記情報に対応する領域が、画像記録時の温度が第１の温度となるノズル群により記録される領域である場合、前記情報に対応する領域が、画像記録時の温度が前記第１の温度よりも低い第２の温度となるノズル群により記録される領域である場合よりも、前記色補正画像の数を多くすることを特徴とする請求項１または２に記載の画像処理装置。
【請求項５】
前記第２の記録制御手段は、前記情報に対応する領域が、使用頻度が第１の数であるノズル群により記録される領域である場合、前記情報に対応する領域が、使用頻度が第２の数であるノズル群により記録される領域である場合よりも、前記色補正画像の数を多くすることを特徴とする請求項１または２に記載の画像処理装置。
【請求項６】
前記第２の記録制御手段により記録された前記複数の色補正画像のうち１つに対応する第２情報を取得する第２の取得手段をさらに備えることを特徴とする請求項１から５のいずれか１項に記載の画像処理装置。
【請求項７】
前記所定の色を示す色信号の入力に基づいて画像を記録する場合、前記取得手段により取得された前記情報に対応する領域に対しては、前記所定の色を示す色信号に対して前記第２情報に対応する前記色補正がなされた前記補正色を示す色信号の入力に基づいて画像を記録し、前記情報に対応する領域以外の前記複数の領域に対しては、前記色補正を伴わない前記所定の色を示す色信号の入力に基づいて画像を記録する第３の記録制御手段をさらに備えることを特徴とする請求項６に記載の画像処理装置。
【請求項８】
記録媒体上に第１のインクを吐出する複数のノズルが所定方向に配列された第１のノズル列と、前記記録媒体上に第２のインクを吐出する複数のノズルが前記所定方向に配列された第２のノズル列と、を用いて前記記録媒体上に画像を記録するための画像処理方法であって、
記録媒体上の複数の領域にそれぞれ対応し且つ前記第１のノズル列および前記第２のノズル列のそれぞれに配列されたそれぞれ所定数のノズルを含む複数のノズル群であって、少なくとも前記第１のインクおよび前記第２のインクによって再現される所定の色を示す色信号の入力に基づいて、前記複数のノズル群のそれぞれを用いて前記複数の領域に対して画像を記録させる第１の記録制御工程と、
前記複数の領域のうちの１つに関する情報を取得する取得工程と、
前記所定の色を示す色信号に対して色補正を行うことにより得られる、補正色を示す色信号の入力に基づいて、前記取得工程において取得された前記情報に対応する領域に対して記録された画像と、前記色補正を伴わない前記所定の色を示す色信号の入力に基づいて、前記複数の領域のうち前記情報に対応する領域ではない領域に記録された画像と、を含む色補正画像を記録させる第２の記録制御工程と、
を有し、
前記第２の記録制御工程において、前記複数の領域のうち、前記情報に対応する領域の位置に基づいて決定された数の、互いに前記補正色が異なる複数の前記色補正画像を記録させることを特徴とする画像処理方法。